(57)【要約】      （修正有）【課題】コンデンサ自体の発火対策や、発火対策のために筐体内部のコンデンサ配置や筐体冷却用開口部のサイズや位置に制約を与えることなく、コンデンサ破壊時における側壁からの発火を防止する。【解決手段】コンデンサ用防火カバー４は、伸縮性を有する材料により筒状に形成されたカバー本体５を有する。このカバー本体５は、コンデンサ１に被せられて当該コンデンサ１の側壁のほぼ全体を覆う。カバー本体５は、コンデンサ１を所定の取付部へ取り付けるための被取付部９を一体に有していることが好ましい。【選択図】図１
2015207697.tif 000002
【特許請求の範囲】
【請求項１】
伸縮性を有する材料により筒状に形成されたカバー本体を有し、このカバー本体は、コンデンサに被せられて当該コンデンサの側壁のほぼ全体を覆うことを特徴とするコンデンサ用防火カバー。
【請求項２】
前記カバー本体は、前記コンデンサを所定の取付部へ取り付けるための被取付部を一体に有していることを特徴とする請求項１記載のコンデンサ用防火カバー。
【請求項３】
前記コンデンサは、円柱状をなしていて、軸方向の一方の端面にネジ端子を有するネジ端子形の電解コンデンサであり、
前記コンデンサに被せられる前記カバー本体は円筒状をなしていることを特徴とする請求項１または２記載のコンデンサ用防火カバー。
【発明の詳細な説明】
【技術分野】
【０００１】
本発明の実施形態は、コンデンサ用防火カバーに関する。
【背景技術】
【０００２】
インバータ装置の製品安全として、主回路コンデンサの破壊時に製品外部に炎が噴出して周囲を延焼させないことが求められている。従来、主回路コンデンサとして使用される例えばネジ端子形の電解コンデンサにおいて、当該コンデンサの側壁からの発火に対しては、コンデンサの外殻を形成する金属ケースを厚くしたり、電解液の特性を見直したりするなどして、コンデンサ自体が発火し難い対策を実施するか、コンデンサの周囲を金属板などで囲い炎が外部にまで至らないような発火対策が必要であり、使用できるコンデンサやその配置に制約があった。一般的にこの種のコンデンサの破壊時には、コンデンサ側壁またはネジ端子面が破損する。
【先行技術文献】
【特許文献】
【０００３】
【特許文献１】特開２００２−３４５２６２号公報
【特許文献２】特開２００３−１８９６２４号公報
【発明の概要】
【発明が解決しようとする課題】
【０００４】
そこで、コンデンサ自体の発火対策や、発火対策のために筐体内部のコンデンサ配置や筐体冷却用開口部のサイズや位置に制約を与えることなく、コンデンサ破壊時における側壁からの発火を防止することができるコンデンサ用防火カバーを提供する。
【課題を解決するための手段】
【０００５】
本実施形態のコンデンサ用防火カバーは、伸縮性を有する材料により筒状に形成されたカバー本体を有する。このカバー本体は、コンデンサに被せられて当該コンデンサの側壁のほぼ全体を覆う。
【図面の簡単な説明】
【０００６】
【図１】一実施形態の防火用カバーをコンデンサに装着した状態を示すもので、（ａ）は斜視図、（ｂ）は正面図
【図２】図１（ａ）のＸ２−Ｘ２線に沿う縦断面図
【図３】コンデンサと防火用カバーの分解斜視図
【図４】コンデンサを取付板に取り付けた状態での斜視図
【図５】取付板の取付孔の平面図
【図６】インバータ装置の概略構成図
【発明を実施するための形態】
【０００７】
以下、一実施形態について図面を参照して説明する。まず、図１から図３において、コンデンサ１は、この場合、ネジ端子形の電解コンデンサであり、例えばインバータ装置における主回路に用いられる。このコンデンサ１は、円柱状をなす自立型のもので、軸方向の一方の端面である上端面に一対のネジ端子２が設けられている。このコンデンサ１の側壁１ａは、図示しないアルミ製の金属ケースによって覆われているとともに、その金属ケースの外側が筒状をなすフィルムカバー３により覆われている。
【０００８】
このコンデンサ１に、防火カバー４が装着されている。この防火カバー４は、伸縮性を有する材料、この場合ゴムにより形成されたもので、円筒状をなすカバー本体５を有している。カバー本体５は、コンデンサ１の外面に被せられて当該コンデンサ１の側壁１ａの上端部から下端部にかけたほぼ全体を覆っている。防火カバー４をコンデンサ１に装着した状態では、カバー本体５の内周面がコンデンサ１の側壁１ａの外周面に密着する状態となる。
【０００９】
防火カバー４には、カバー本体５の上端部の周縁部に位置させて他の部分よりも横方向へ突出した環状の鍔部６が設けられていると共に、カバー本体５の上部の外周部に位置させて突部７が設けられている。突部７は、等間隔で３箇所に設けられている。各突部７と鍔部６との間には、図１（ｂ）に示すように、横方向に延びるスリット８が形成されている。各スリット８は、一端部が開口し、他端部が閉鎖されている。このスリット８と、このスリット８の周囲の鍔部６および突部７は、後述するように、コンデンサ１を所定の取付部に取り付ける際の被取付部９として機能する。
【００１０】
図６は、上記コンデンサ１が使用されるインバータ装置１０の概略構成図が示されている。インバータ装置１０の外殻を形成する筐体１１の内部は、仕切部１２により左側のコントロールルーム１３と右側の通風室１４とに仕切られている。コントロールルーム１３には、コントローラ１５や、ＩＧＢＴ、サイリスタ等のスイッチング素子１６などが配設されている。通風室１４には、冷却が必要なヒートシンク１７、ＤＣチョーク１８、および上記コンデンサ１などが配設されている。この場合、ヒートシンク１７が通風室１４における上下方向の中央部に配置され、ＤＣチョーク１８が上部に配置され、コンデンサ１が下部に配置されている。
【００１１】
通風室１４における一端側である下端側には、冷却用の送風機１９が配設されている。この送風機１９が駆動されると、図６に矢印で示すように、筐体１１外の空気が通風室１４内に吸い込まれ、その吸い込まれた空気が通風室１４内を下から上に向けて流れ、筐体１１の外部へ吹き出される。この過程で、通風室１４内を通る風により、コンデンサ１、ヒートシンク１７、ＤＣチョーク１８が冷却される。
【００１２】
ここで、コンデンサ１をインバータ装置１０の筐体１１内へ取り付ける取付構造について、図４および図５も参照して説明する。筐体１１内の仕切部１２には、金属板製の取付板２０が設けられている。この取付板２０には、図５に示すように、取付部として機能する取付孔２１が形成されている。この取付孔２１は、コンデンサ１の個数に対応する数形成されている。取付孔２１の内周部には、径方向の外側に向けて窪む凹部２２が周方向の３箇所に等間隔で設けられており、隣り合った各凹部２２間を凸部２３としている。取付板２０の厚さ寸法は、前記防火カバー４におけるスリット８の高さ寸法よりやや小さく設定されていて、各凸部２３をスリット８に挿入することができるようになっている。
【００１３】
この場合、取付孔２１の内径寸法は、防火カバー４におけるカバー本体５の外径寸法よりやや大きく設定されていて、取付孔２１にカバー本体５の下部を挿入することができる。また、防火カバー４における鍔部６の外径寸法は、取付孔２１の内径寸法よりも大きく設定されている。
【００１４】
防火カバー４を装着したコンデンサ１を取付板２０に取り付ける場合、次のようにして行う。まず、防火カバー４を装着したコンデンサ１を、これの下端部から取付板２０の取付孔２１に挿入する。そして、防火カバー４の外周部における３箇所の突部７を、取付孔２１における３箇所の凹部２２に対応させて挿入し、鍔部６の裏面を、取付板２０における取付孔２１の周囲の面に宛がう。この後、防火カバー４を装着したコンデンサ１を、ネジ端子２側から見て時計回り方向に回転させることで、各スリット８に取付孔２１における凸部２３が相対的に挿入されるようになり、スリット８の閉塞端部が凸部２３の周方向の端部に当たったところでコンデンサ１の回転を止める。これにより、防火カバー４は、取付板２０における３箇所の凸部２３により軸方向に位置決めされた状態で取付板２０に取り付けられた状態となり、ひいてはコンデンサ１を防火カバー４を介して取付板２０に着脱可能に取り付けることができる。なお、コンデンサ１を取付板２０から外す場合には、上記した手順とは逆の手順で行えばよい。
【００１５】
上記構成において、インバータ装置１０の使用時に、万一コンデンサ１の爆風で金属ケース側面が破れた場合でも、コンデンサ１内から噴出する可燃性のガスを、防火カバー４におけるカバー本体５の伸縮性を利用して当該カバー本体５の下端部とコンデンサ１の外面との間から外部へ一時的に逃がした後、カバー本体５の復元力により空気を迅速に遮断し、炎の吹き出しを防ぐことができる。これにより、コンデンサ１の破壊時に製品外部へ炎が噴出して周囲を延焼させるということを防止することが可能となる。
【００１６】
なお、コンデンサ１の側壁１ａは通常、コンデンサメーカによって予めフィルムカバー３で覆われているが、このフィルムカバー３は強度が弱く、コンデンサ１の金属ケースが破れた際にはこのフィルムカバー３も破れてしまい、保護機能は期待できない。
【００１７】
このような実施形態によれば、コンデンサ１に、伸縮性を有する材料により形成された防火カバー４を被せ、この防火カバー４の筒状をなすカバー本体５によりコンデンサ１の側壁１ａのほぼ全体を覆う構成とした。これにより、コンデンサ１自体の発火対策や、発火対策のために筐体内部のコンデンサ配置や筐体冷却用開口部のサイズや位置に制約を与えることなく、コンデンサ１破壊時における側壁１ａからの発火を防止することが可能になる。
【００１８】
防火カバー４のカバー本体５は、コンデンサ１を所定の取付部である取付板２０の取付孔２１へ取り付けるための被取付部９を一体に有している。これによれば、防火カバー４と被取付部９とを別部材で構成する場合に比べて部品点数を少なくできる。本実施形態の防火カバー４は、ネジ端子形の電解コンデンサ１に特に有効である。
【００１９】
（その他の実施形態）
防火カバー４において、被取付部９は必要に応じて設ければよく、なくてもよい。
コンデンサ１において、フィルムカバー３は必要に応じて設ければよく、なくてもよい。
コンデンサ１の用途としては、インバータ装置１０に限られない。
【００２０】
以上説明したように、本実施形態のコンデンサ用防火カバーは、伸縮性を有する材料により筒状に形成され、コンデンサに被せられて当該コンデンサの側壁のほぼ全体を覆う構成である。これにより、コンデンサ自体の発火対策や、発火対策のために筐体内部のコンデンサ配置や筐体冷却用開口部のサイズや位置に制約を与えることなく、コンデンサ破壊時における側壁からの発火を防止することが可能になる。
【００２１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２２】
図面中、１はコンデンサ（ネジ端子形の電解コンデンサ）、２はネジ端子、４は防火カバー、５はカバー本体、６は鍔部、７は突部、８はスリット、９は被取付部、１０はインバータ装置、２０は取付板、２１は取付孔（取付部）を示す。
【図１】
2015207697.tif 000003
【図２】
2015207697.tif 000004
【図３】
2015207697.tif 000005
【図４】
2015207697.tif 000006
【図５】
2015207697.tif 000007
【図６】
2015207697.tif 000008